(57)【特許請求の範囲】
【請求項１】
池中央側である内周側がバッフルに相当する面とされ池内周側である外周側から清澄水を流入可能とされた四角樋状の越流堰本体が円形等の沈澱池の内周に対し一定隙間を置いて添う状態で設けられるとともに、同越流堰本体の内周側には、水面よりも低く越流堰本体の内周に沿うべく上からみて弓状をなす底面をもつトラフと同トラフの池内周側に設けられ沈澱池内で回転運動するスカムスクレーパにより弾性変形して水面を境に上下することにより水面上のスカムを呑込可能とした堰とでなるスカム除去装置が装備され、同スカム除去装置のトラフと沈澱池外部との間がスカム除去管でまた前記越流堰本体と沈澱池外部との間が排水管でそれぞれ連通状とされるとともに、これらスカム除去管および排水管はそれぞれ可撓部分を備えてなる越流装置において、前記越流堰本体は、池周方向の複数個所に配備された受板により支持されているとともに、同受板は、沈澱池の周壁上面に固定され池内へ向けて伸びた池上板と、同池上板に通されてその上端に装備されるハンドルによる回転操作により昇降自在とされるとともにその軸部が池内周に縦軸向きに沿って伸びて下端が前記受板に連結された軸とによる調節機構により高さ変更可能に構成されていることを特徴とする円形等の沈澱池における越流装置。
【発明の詳細な説明】
【０００１】
【発明の属する技術分野】
この発明は、円形沈澱池や方形沈澱池等の沈澱池の水面付近から清澄水を誘引・導出するための越流装置に関する。
【０００２】
【従来の技術】
例えば、円形沈澱池においては、池内周に添って樋状の越流堰が構成され、その更に内周側に離間したところにバッフルを備えて水面上のスカムを除きながら清澄水のみを排除するようにしている。
【０００３】
【発明が解決しようとする課題】
ところで、これまでの越流堰は池内周に一体に形成され、これとは別に前記バッフルが設けられていたため、越流堰とバッフルとで内外二重構造になり、そのため、池内周にスカム除去装置を構成する場合に施工が複雑化する問題があった。
【０００４】
この発明は前記課題を解決するためになされたもので、池内周の構造が簡略化し、スカム除去装置の施工も簡易化するようにした円形等の沈澱池における越流装置を提供することを目的とする。
【０００５】
【課題を解決するための手段】
前記課題を解決するため、請求項１記載の発明は、池中央側である内周側がバッフルに相当する面とされ池内周側である外周側から清澄水を流入可能とされた四角樋状の越流堰本体が円形等の沈澱池の内周に対し一定隙間を置いて添う状態で設けられるとともに、同越流堰本体の内周側には、水面よりも低く越流堰本体の内周に沿うべく上からみて弓状をなす底面をもつトラフと同トラフの池内周側に設けられ沈澱池内で回転運動するスカムスクレーパにより弾性変形して水面を境に上下することにより水面上のスカムを呑込可能とした堰とでなるスカム除去装置が装備され、同スカム除去装置のトラフと沈澱池外部との間がスカム除去管でまた前記越流堰本体と沈澱池外部との間が排水管でそれぞれ連通状とされるとともに、これらスカム除去管および排水管はそれぞれ可撓部分を備えてなる越流装置において、前記越流堰本体は、池周方向の複数個所に配備された受板により支持されているとともに、同受板は、沈澱池の周壁上面に固定され池内へ向けて伸びた池上板と、同池上板に通されてその上端に装備されるハンドルによる回転操作により昇降自在とされるとともにその軸部が池内周に縦軸向きに沿って伸びて下端が前記受板に連結された軸とによる調節機構により高さ変更可能に構成されていることを特徴とする。
【０００６】
【実施形態】
以下、この発明を好適な実施形態を参照しながら詳細に説明する。
【０００７】
図１から図３は、この発明の一実施形態を示し、比較的小型の円形沈澱池についてのもので、１は沈澱池の周壁、２は底壁、３はピットを示している。
【０００８】
この円形沈澱池は、上部に支持梁５を備え、同支持梁５の中央に駆動源６を設置している。
【０００９】
駆動源６により縦軸状の回転軸７が駆動されるとともにレーキ８が回転駆動される。
【００１０】
回転軸７の上部ではセンターウエル９が回転駆動されるとともにスカムスクレーパ１０も回転される。
【００１１】
尚、センターウエル９には穴が形成されて、スカムスクレーパ１０が貫通しているとともにスカムスクレーパ１０のセンターウエル９内の前面に添って外径方向に掻き寄せられるスカムを通過する穴も同時に形成されている。
【００１２】
円形沈澱池の内周には、断面が四角な樋状に形成された越流堰本体１２が全周に及ぶようにして設けられている。この越流堰本体１２は、ステンレス、銅、あるいはプラスチックなどにより作製され、周方向に２分割（あるいは３分割や４分割でもよい）式でフランジ１３の個所で止着具で現場結合可能になっている。結合により１つのリング状になる。そして、同リングになった越流堰本体１２は、池周方向の複数個所に水平に配備された受板１４…により支持される。１８は池上板で、池上面に水平に固定され池内に伸びるようにして池上面に固定され、同板１８には固定ナット１９が固着されているとともに、このナット１９には、軸１６が通されている。この軸１６は、固定ナット１９を介して池上板１８に回転により昇降自在とされ、その昇降は、池上からハンドル１５で回転操作によりなされるようになっている。軸１６の下端には受板１４に対して回転する可動ナット２０が設けられ、ハンドル１５を回転することにより、軸１６が回転して受板１４が昇降し越流堰本体１２が昇降調節されるようになっている。
【００１３】
越流堰本体１２の内周側の面は従来からのバッフルに代わるものである。そして、越流堰本体１２の外周側の面は池の周壁１からＳだけ少し離間しており、この間隔Ｓを通じて清澄水が上昇するとともに、図３に示す越流堰部２１を越えて清澄水が本体１２内に流入するようになっている。
【００１４】
また、越流堰本体１２の内周一部には、ゴムやプラスチックによりトラフ２３が上からみて弓状をなして装備されている。トラフ２３は堰２４を備え、同堰２４は図２の矢印のように弾性変形により内倒れし復帰も可能になっている。内倒れの運動は、前記スカムスクレーパ１０の先端に備えたローラー２５，２６によりなされる。この場合のローラー２５，２６は、図１に平面を示すように、周方向の前後の１対で構成され、すなわち、先行するローラー２５で堰２４を倒してゆきその後で後行のローラー２６で次の段階を倒してゆくことで、両ローラー２５，２６間の倒れた個所を介して掻き寄せられたスカムを流入させるようにする。
【００１５】
尚、図４に示すように、越流堰部２１を波形に形成してもよい。また、図５に示すように、堰２４はへの字状に形成しその下部を押し込むことで堰２４が大きく上下するように構成してもよい。また、越流堰本体１２は、その全体が弾性変形自在な材質である必要はなく、スカムを流入させるための部分のみが弾性変形自在なものになっていてもよい。さらに、図６に示すように、清澄水の流入量が多い場合は、越流堰本体１２の内外から流入させるようにしてもよい。図２、図６の２７は排水管系、２８はスカム除去管系を示し。共に可撓部分を備える。
【００１６】
図７は他の実施形態を示す。この実施形態のスカム除去装置のトラフ３０は池の全周にわたるものになっている。そして前後のローラー２５，２６により押さえ付けられながらスカムを流入させる。清澄水の呑み込みは、図２の方式でも図６の方式でもよい。
【００１７】
【発明の効果】
この発明は以上のようであるので、池内周の構造が簡略化し、スカム除去装置の施工も簡易化するようにした円形等の沈澱池における越流装置を提供することができる。
【図面の簡単な説明】
【図１】この発明の一実施形態を示す沈澱池の平面図。
【図２】図１のＩＩ−ＩＩ線断面図。
【図３】越流堰部の正面図。
【図４】越流堰部の他の実施形態を示す正面図。
【図５】堰の他の実施形態を示す断面図。
【図６】他の実施形態を示す断面図。
【図７】越流装置の他の実施形態を示す平面図。
【符号の説明】
１…周壁  １０…スカムスクレーパ  １２，３０…越流堰本体  ２３…トラフ  ２４…堰  ２５，２６…ローラー。
【図１】
0004158057.tif 000002
【図２】
0004158057.tif 000003
【図３】
0004158057.tif 000004
【図４】
0004158057.tif 000005
【図５】
0004158057.tif 000006
【図６】
0004158057.tif 000007
【図７】
0004158057.tif 000008